(57)【要約】  歯科模型、装着面を有する支持体、および、歯科模型と支持体との間に配置されるストレッチリリース感圧接着剤を備える装置、並びに使用方法。ストレッチリリース感圧接着剤で、歯科模型を装着面に取付ける。別の実施形態では、伸展性が大きく、実質的に非弾性で、ストレッチリリース感圧接着剤の層を有する基材を使用して、歯科模型を装着面に取付ける。ストレッチリリース感圧接着剤を装着面から約３５°以下の角度で伸張することにより、歯科模型と支持体とは損傷することなく分離される。
2005514104.tif 000002
【特許請求の範囲】
【請求項１】
歯科模型、
装着面を有する支持体、および
前記歯科模型と前記支持体との間に配置されるストレッチリリース感圧接着剤、
を備える装置であり、前記ストレッチリリース感圧接着剤が、前記歯科模型を前記装着面に取付け、前記歯科模型および前記支持体は、前記ストレッチリリース感圧接着剤を前記装着面から約３５°以下の角度で伸張することにより分離できる、装置。
【請求項２】
第１の主面と第２の主面を有する基材を更に備え、前記ストレッチリリース感圧接着剤が、前記第１の主面と前記第２の主面のそれぞれに配置されている、請求項１に記載の装置。
【請求項３】
前記基材および前記ストレッチリリース感圧接着剤が伸展性であり、前記基材を破断することなく前記歯科模型と前記支持体とを分離する、請求項２に記載の装置。
【請求項４】
前記基材が予め定められた長さを有し、前記基材および前記ストレッチリリース感圧接着剤を前記基材の予め定められた長さの少なくとも約５０％まで伸張することにより、前記ストレッチリリース感圧接着剤は前記歯科模型および前記支持体から取外すことができる、請求項３に記載の装置。
【請求項５】
前記ストレッチリリース感圧接着剤が、伸展性があり、予め定められた長さを有する接着剤シートを備え、前記接着剤シートの予め定められた長さの少なくとも約５０％まで前記接着剤シートを伸張することにより、前記接着剤シートが前記歯科模型および前記支持体から取外すことができる、請求項１に記載の装置。
【請求項６】
前記ストレッチリリース感圧接着剤が、伸展性で、実質的に回復不可能な基材を更に備え、前記基材が第１の主面と第２の主面を有し、前記ストレッチリリース感圧接着剤の第１の層が前記第１の主面に配置され、前記ストレッチリリース感圧接着剤の第２の層が前記第２の主面に配置される、請求項１に記載の装置。
【請求項７】
前記基材が、前記歯科模型と前記支持体の少なくとも一方を越えて突出する第１のタブ部分を有する、請求項６に記載の装置。
【請求項８】
前記第１のタブ部分が、前記ストレッチリリース感圧接着剤の一部を含み、更に、前記第１のタブ部分に配置される前記ストレッチリリース感圧接着剤の一部が露出していない、請求項７に記載の装置。
【請求項９】
前記第１のタブ部分が前記ストレッチリリース感圧接着剤を実質的に含まない、請求項７に記載の装置。
【請求項１０】
前記基材が、前記歯科模型と前記支持体の少なくとも一方を越えて突出する第２のタブ部分を有し、前記基材および前記ストレッチリリース感圧接着剤が前記第２のタブ部分から伸張される、請求項７に記載の装置。
【請求項１１】
前記第２のタブ部分が、前記ストレッチリリース感圧接着剤の一部を含み、更に、前記第２のタブ部分に配置される前記ストレッチリリース感圧接着剤の一部が露出していない、請求項１０に記載の装置。
【請求項１２】
前記第２のタブ部分が前記ストレッチリリース感圧接着剤を実質的に含まない、請求項１０に記載の装置。
【請求項１３】
前記第１のタブ部分が、前記装着面を横切って前記第２のタブ部分と反対側にある、請求項１０に記載の装置。
【請求項１４】
前記基材が、第３のタブ部分および第４のタブ部分を有し、前記第３のタブ部分が、前記装着面を横切って前記第４のタブ部分と反対側にあり、前記第３のタブ部分および前記第４のタブ部分が前記歯科模型と前記支持体の少なくとも一方を越えて突出する、請求項１３に記載の装置。
【請求項１５】
前記基材は、前記歯科模型と前記支持体から前記ストレッチリリース感圧接着剤を取外す前に前記基材が破断しないような引張破断強度を有する、請求項６に記載の装置。
【請求項１６】
前記基材が、ポリマーフォーム構造を有する、請求項６に記載の装置。
【請求項１７】
前記歯科模型が、基部表面、および口腔構造を表す上部表面を有し、前記ストレッチリリース感圧接着剤が前記歯科模型の基部表面に粘着する、請求項１に記載の装置。
【請求項１８】
前記歯科模型と前記支持体との間に配置されるホルダを更に備え、前記ストレッチリリース感圧接着剤が前記ホルダと前記支持体との間に配置される、請求項１に記載の装置。
【請求項１９】
前記歯科模型が成型材料から形成され、更に、前記ホルダが前記成型材料の中に埋設される、請求項１８に記載の装置。
【請求項２０】
歯科模型と、支持体の装着面との間にストレッチリリース感圧接着剤を配置するステップ、
前記ストレッチリリース感圧接着剤を用いて、前記歯科模型を前記支持体の装着面に取付けるステップ、および、
前記ストレッチリリース感圧接着剤を前記支持体の装着面から約３５°以下の角度で伸張することにより、前記歯科模型を前記装着面から取外すステップ、
を含む方法。
【請求項２１】
前記ストレッチリリース感圧接着剤が予め定められた長さを有し、更に、前記ストレッチリリース感圧接着剤を伸張するステップが、前記ストレッチリリース感圧接着剤の予め定められた長さの少なくとも約５０％まで、前記ストレッチリリース感圧接着剤を伸張することを含む、請求項２０に記載の方法。
【請求項２２】
前記ストレッチリリース感圧接着剤が基材上に配置され、前記基材が前記歯科模型と前記支持体の少なくとも一方を越えて突出する第１のタブ部分を有し、前記歯科模型を取外すステップが、前記基材と前記ストレッチリリース感圧接着剤を前記第１のタブ部分から伸張することを含む、請求項２１に記載の方法。
【請求項２３】
前記基材が、前記歯科模型と前記支持体の少なくとも一方を越えて突出する第２のタブ部分を有し、前記歯科模型を取外すステップが、前記基材と前記ストレッチリリース感圧接着剤を前記第１のタブ部分および前記第２のタブ部分から伸張することを含む、請求項２２に記載の方法。
【請求項２４】
前記基材と前記ストレッチリリース感圧接着剤を伸張するステップが、前記第１のタブ部分および前記第２のタブ部分を把持し、前記第１のタブ部分および前記第２のタブ部分から前記基材と前記ストレッチリリース感圧接着剤を引っ張ることを含む、請求項２３に記載の方法。
【請求項２５】
成型材料、および、
前記成型材料から作製される歯科模型を支持体の装着面に取付けるためのストレッチリリース感圧接着剤を備える取付け物品であって、前記ストレッチリリース感圧接着剤を前記装着面から約３５°以下の角度で伸張することにより、前記歯科模型と前記支持体とが分離できる取付け物品、
前記ストレッチリリース感圧接着剤の少なくとも一部に脱離可能に粘着する少なくとも１枚の剥離ライナー、および、
前記成型材料および前記取付け物品を収納するパッケージ、
を備えるキット。
【請求項２６】
前記ストレッチリリース感圧接着剤が、第１の主面および第２の主面を有する基材を更に備え、前記ストレッチリリース感圧接着剤が前記第１の主面と前記第２の主面のそれぞれに配置される、請求項２５に記載のキット。
【請求項２７】
前記基材が予め定められた長さを有し、前記基材の予め定められた長さの少なくとも約５０％まで、前記基材と前記ストレッチリリース感圧接着剤を伸張することにより、前記ストレッチリリース感圧接着剤は、前記歯科模型および前記支持体から取外すことができる、請求項２６に記載のキット。
【請求項２８】
前記ストレッチリリース感圧接着剤が、伸展性で、予め定められた長さを有する接着剤シートを構成し、前記接着剤シートの予め定められた長さの少なくとも約５０％まで、前記接着剤シートを伸張することにより、前記接着剤シートは、前記歯科模型および前記支持体から取外すことができる、請求項２５に記載のキット。
【請求項２９】
前記ストレッチリリース感圧接着剤が、伸展性で、実質的に回復不可能な基材を更に備え、前記基材が第１の主面および第２の主面を有し、前記ストレッチリリース感圧接着剤の第１の層が前記第１の主面に配置され、前記ストレッチリリース感圧接着剤の第２の層が前記第２の主面に配置される、請求項２５に記載のキット。
【請求項３０】
前記基材が第１のタブ部分を有し、前記第１のタブ部分に配置される前記ストレッチリリース感圧接着剤が全く露出していない、請求項２９に記載のキット。
【請求項３１】
前記基材が、前記ストレッチリリース感圧接着剤を実質的に含まない第１のタブ部分を有する、請求項２９に記載のキット。
【請求項３２】
前記基材が、第１のタブ部分と第２のタブ部分を有し、前記第１のタブ部分と前記第２のタブ部分に配置される前記ストレッチリリース感圧接着剤が全く露出していない、請求項２９に記載のキット。
【請求項３３】
前記基材が、第１のタブ部分と第２のタブ部分を有し、前記第１のタブ部分と前記第２のタブ部分が、前記ストレッチリリース感圧接着剤を実質的に含まない、請求項２９に記載のキット。
【請求項３４】
テクスチャ加工表面を有するホルダを更に備える、請求項２９に記載のキット。
【請求項３５】
前記ホルダが、前記ストレッチリリース感圧接着剤の一部によって前記取付け物品に粘着される、請求項３４に記載のキット。
【請求項３６】
前記取付け物品が、前記取付け物品の両面に２層の前記ストレッチリリース感圧接着剤と、少なくとも１枚の剥離ライナーを備え、前記ストレッチリリース感圧接着剤の各層が、前記少なくとも１枚の剥離ライナーで被覆される、請求項３４に記載のキット。
【発明の詳細な説明】
【技術分野】
【０００１】
本発明は、感圧接着製品、特に、装着面に品目を脱離可能に装着するための伸張して取外すことができる粘着物品に関する。
【背景技術】
【０００２】
歯科模型は、歯科治療の過程で、様々な目的に広く使用される。一例として、歯科医又は補綴専門歯科医は、１本以上の歯が欠損しているか、又は損傷を受けている患者の口腔の領域の模型を有することを所望する場合がある。その場合、模型をガイドとして使用し、好適な置換歯を技工所で作製する場合がある。
【０００３】
別の例として、歯科開業医は、患者の歯の模型を使用して、歯および顎の奇形および位置異常を調べ、治療の過程を計画することが多い。患者の上顎および下顎歯列弓全体の模型を、咬合器として既知の装置に装着することがある。咬合器は、患者の顎の開閉を模するように、歯列弓の模型が互いの方へ、および互いから離れるように揺動することを可能にする蝶番式の連結器を備える。開業医は、問題をより良く診断し、適切な治療過程を計画するため、咬合器を使用して、様々な視野角度から患者の顎の開閉運動を調べることができる。
【０００４】
理解できるように、歯科模型の使用は、開業医と患者の両方にとって非常に好都合である。模型を使用して歯冠などの修復物を構成するとき、適切な大きさおよび形状が達成されるまで必要な時間、試行錯誤の適合処置を歯科技工所で実施することができる。その結果、患者が治療室の歯科用イスを占有しなければならない時間が減少する。
【０００５】
歯科模型が検討の目的で使用されるとき、ここでも、患者を歯科用イスに座らせておくことを必要とせずに、開業医は診断を完了し、適切な治療過程を計画するのに必要な時間をとることができる。必要に応じて、模型は、患者の教育や、様々な治療選択肢の説明に使用することもできる。更に、模型を、特定の時点における患者の口腔構造の永久記録として役立てることができる。
【０００６】
最近、コンピュータ自動設計システムを使用する歯科補綴物の調製用の歯科模型の使用に関心が高まっている。例えば、歯科模型を走査して、目的とする患者の歯の構造を表す１セットの電子データを収集するシステムもある。次いで、そのデータセットを、自動機械切削装置（コンピュータ支援切削装置）の操作中に使用し、完成時に本来の歯の構造の形状に非常によく適合する補綴物を製造する。
【０００７】
歯科分野で使用されるコンピュータ支援切削装置の例には、ドイツ、ベンツハイムのシロナ・デンタル・システム（Ｓｉｒｏｎａ  Ｄｅｎｔａｌ  Ｓｙｓｔｅｍｓ  ｏｆ  Ｂｅｎｓｈｅｉｍ，Ｇｅｒｍａｎｙ）から入手可能なセレック（ＣＥＲＥＣ）２、セレック（ＣＥＲＥＣ）３、およびセレックスキャン（ＣＥＲＥＣ  ＳＣＡＮ）システム、ドイツ、バート・ゼッキンゲンのビタ・ツァーンファブリーク（Ｖｉｔａ  Ｚａｈｎｆａｂｒｉｋ  ｏｆ  Ｂａｄ  Ｓａｅｃｋｉｎｇｅｎ，Ｇｅｒｍａｎｙ）製のビタ・セレイ（ＶＩＴＡ  ＣＥＬＡＹ）装置、テキサス州ダラスのキャッド−キャム・ベンチャーズ社（Ｃａｄ−Ｃａｍ  Ｖｅｎｔｕｒｅｓ  Ｉｎｃｏｒｐｏｒａｔｅｄ，  ｏｆ  Ｄａｌｌａｓ，Ｔｅｘａｓ）製のプロ・スキャン（ＰＲＯ−ＳＣＡＮ）、およびイリノイ州ウエストモントのノーベル・バイオケアＵＳＡ（Ｎｏｂｅｌ  Ｂｉｏｃａｒｅ  ＵＳＡ  ｏｆ  Ｗｅｓｔｍｏｎｔ，Ｉｌｉｎｏｉｓ）製のプロセラ・オールセラム（ＰＲＯＣＥＲＡ  ＡＬＬＣＥＲＡＭ）などが挙げられる。（特許文献１）（ブランデスティニ（Ｂｒａｎｄｅｓｔｉｎｉ）ら）、（特許文献２）（コプネク（Ｋｏｐｕｎｅｋ）ら）、および（特許文献３）（モーアマン（Ｍｏｅｒｍａｎｎ）ら）、並びに（特許文献４）（フラネツッキー（Ｆｒａｎｅｔｚｋｉ））も、コンピュータ支援切削装置を使用して歯科補綴物を作製するシステムを開示している。
【０００８】
コンピュータ支援切削システムで歯科模型を使用する既知の方法の１つは、成型材料が硬化する前に、模型を作製する成型材料と、プレートを接触させることを必要とする。プレートは、得られる模型をプレートに連結させる、蟻溝を有する。次いで、プレートは固定具に締結され、その間、スキャナで模型をトラバースし、電子データを収集する。
【０００９】
歯科模型を固定する他の既知の方法には、成型材料が硬化する前に成型材料の中に入れられるピンの使用が挙げられる。ピンは、得られる模型から外側に突出し、走査作業中、模型を保持するための取っ手を提供する。クランプ又は他の構造を使用して、走査作業中にこのピンを固定物に連結する。
【００１０】
プレート又はピンを模型から取外し、後で再使用する前に清浄にしなければならないため、前述の手順で溝付きプレートおよびピンを使用することは、あまり満足のいくものではない。しかし、模型を作製するのに使用される成型材料は、プレートおよびピンから取外すことが困難な場合がある。幾つかの場合、ピン又はプレートを取外そうとするとき、患者の口腔構造の複製表面を有する模型の一部が損傷する場合があり、そのため、模型をもはや、患者の口腔構造の記録として役立てることができない。
【００１１】
更に、溝付きプレートが使用される場合、開業医による模型用の成型材料の選択は、幾分制限されている。例えば、蟻溝を有するプレートは、模型からプレートを取外すことができるように、硬化時にゴム様の稠度を有する成型材料を使用することが必要な場合がある。しかし、このような成型材料は、不変性、解像度、又は硬度などの他の理由から好ましくない場合がある。例えば、硬化して比較的硬質の塊になるエポキシ型の成型材料を使用することを好む開業医もいる。残念ながら、エポキシ型の成型材料は、適度の労力でプレートから取外すには難し過ぎるように思われる場合がある。
【００１２】
【特許文献１】米国特許第４，８３７，７３２号明細書
【特許文献２】米国特許第４，７７６，７０４号明細書
【特許文献３】米国特許第４，５７５，８０５号明細書
【特許文献４】国際公開第９６／３７１６３号パンフレット
【特許文献５】米国特許第４，６１９，９７９号明細書
【特許文献６】米国特許４，８４３，１３４号明細書
【特許文献７】米国特許第５，６３７，６４６号明細書
【特許文献８】国際公開第９６／０７５２２パンフレット
【特許文献９】米国特許第５，５１６，５８１号明細書
【特許文献１０】米国特許第６，２３１，９６２号明細書
【特許文献１１】米国特許第０９／５６７，１４７号明細書
【特許文献１２】米国特許出願第０９／４４１，５７７号明細書
【特許文献１３】国際公開第０１／３５８５４パンフレット
【特許文献１４】国際公開第００／４０２０６Ａ１パンフレット
【特許文献１５】米国特許出願第０９／２２７，２３０号明細書
【特許文献１６】国際公開第０１／１３８６２Ａ１パンフレット
【特許文献１７】米国特許出願第０９／３８３，５６０号明細書
【特許文献１８】国際公開第０１／１２１３２Ａ１パンフレット
【発明の開示】
【発明が解決しようとする課題】
【００１３】
従って、当該技術分野では、開業医が必要に応じて本質的にどのような成型材料でも使用できる歯科模型、および歯科模型の固定方法が、まだ必要とされている。更に、目的の歯科処置に関わる時間および労力を低減し、費用の節約が実現されるように、現存の方法および模型を改善する必要がある。
【課題を解決するための手段】
【００１４】
本発明は、ストレッチリリース感圧接着剤を用いて、歯科模型を支持体に取外し可能に取付けることに関する。ストレッチリリース感圧接着剤は、歯科模型と、支持体の装着面との間の一部、又は全体に配置される。ストレッチリリース感圧接着剤は、歯科模型を支持体に取付ける。次いで、歯科模型を検討および分析するため、支持体を研究机、作業台、又は咬合器上でコンピュータ化された走査装置内に取付けることができる。ストレッチリリース感圧接着剤を伸張することにより、歯科模型と支持体とは分離でき、その場合、ストレッチリリース感圧接着剤は、歯科模型と、支持体の装着面の両方から分離する。
【００１５】
更に詳細には、成型材料から構成される歯科模型は、上部表面と基部表面を画定する外部表面を有する。歯科模型の上部表面は、口腔構造を表す。歯科模型の基部表面は、ストレッチリリース感圧接着剤が歯科模型を支持体の装着面に取付けることができる場所である。ストレッチリリース感圧接着剤を装着面から約３５°以下の角度で伸張することにより、歯科模型と支持体とは分離できる。適切な角度で取外すと、目に見えるほどの接着剤残留物が残らず、装着面と歯科模型の損傷が低減するか又は防止されることが好ましい。
【００１６】
追加の実施形態では、歯科模型は、歯科模型に固定されるホルダを更に備えることができる。ホルダは、２面を有する幾分平面の形状を有する。ホルダの一面（即ち、第１の面）は、成型材料中に埋設され、歯科模型の成型材料にホルダをしっかりと連結するテクスチャ加工表面を有する。歯科模型を支持体に固定するため、ストレッチリリース感圧接着剤は、支持体の装着面にホルダを取付けることができる。
【００１７】
一実施形態では、ストレッチリリース感圧接着剤は、予め定められた長さを有する接着剤シートであり、その場合、接着剤シートは伸展性である。接着剤シートは、予め定められた接着剤シートの長さの少なくとも約５０％まで接着剤シートを伸張することにより、歯科模型および支持体から取外すことができる。代替の実施形態では、ストレッチリリース感圧接着剤の層が、基材の第１の主面および第２の主面に配置される。基材およびストレッチリリース感圧接着剤は伸展性であり、基材が破断することなく、歯科模型と支持体とを分離する。ストレッチリリース感圧接着剤は、基材の予め定められた長さの少なくとも約５０％まで、基材およびストレッチリリース感圧接着剤を伸張することにより、歯科模型および支持体から取外すことができてもよい。一例では、基材は、伸張された後、実質的に回復不可能である。
【００１８】
基材は、タブ部分を更に備えることができ、そこから、基材およびストレッチリリース感圧接着剤を伸張し、歯科模型と支持体とを分離することができる。一実施形態では、基材は、第１のタブ部分を有する。第１のタブ部分は、歯科模型と支持体のうち少なくとも一方を越えて突出し、使用者が基材およびストレッチリリース感圧接着剤を把持し、伸張できるようにする。基材は、歯科模型および支持体のうち少なくとも一方を越えて突出し、使用者が基材およびストレッチリリース感圧接着剤を把持し、伸張できるようにする第２のタブ部分を有してもよい。第１のタブ部分は、装着面を横切って、第２のタブ部分と反対側にあってもよく、この場合、基材およびストレッチリリース感圧接着剤は、第１および第２のタブ部分の両方から伸張される。基材は、追加のタブ部分を有することができ、そこから、基材およびストレッチリリース感圧接着剤を伸張できる。
【００１９】
本発明は、また、歯科模型を支持体の装着面に脱離可能に取付ける方法に関する。この方法は、歯科模型と、支持体の装着面との間にストレッチリリース感圧接着剤を配置し、ストレッチリリース感圧接着剤を用いて、歯科模型を支持体の装着面に取付けることを含んでもよい。次いで、ストレッチリリース感圧接着剤を支持体の装着面から約３５°以下の角度で伸張することにより、支持体の装着面から歯科模型を取外すことができる。歯科模型を支持体の装着面から取外す際に、ストレッチリリース感圧接着剤を一方向から、又は反対方向に伸張することができる。
【００２０】
本発明は、また、キットを包含する。一実施形態では、キットは、歯科模型を作製するための成型材料、および、成型材料から作製される歯科模型を支持体の装着面に取付けるためのストレッチリリース感圧接着剤が含まれる。前述のように、装着面から約３５°以下の角度でストレッチリリース感圧接着剤を伸張することにより、歯科模型と支持体とは分離できる。前述のように、ストレッチリリース感圧接着剤は、基材の第１の主面および第２の主面に配置されてもよい。基材およびストレッチリリース感圧接着剤は伸展性であり、基材が破断することなく、歯科模型と支持体とを分離することが好ましい。ストレッチリリース感圧接着剤は、基材の予め定められた長さの少なくとも約５０％まで、基材およびストレッチリリース感圧接着剤を伸張することにより、歯科模型および支持体から取外すことができてもよい。基材およびストレッチリリース感圧接着剤の伸張は、前述のように、１つ以上のタブを使用して達成されてもよい。追加の例では、基材は、伸張された後、実質的に回復不可能である。
【００２１】
本発明の他の態様は、以下の詳細な説明に記載されており、添付の図面に表されている。
【００２２】
本発明のより完全な理解およびその利点は、添付の図面と関連する、発明を実施するための最良の形態から明らかであるが、添付の図面は一定の率で縮尺されたものではない。
【発明を実施するための最良の形態】
【００２３】
本発明は、ストレッチリリース感圧接着剤を用いて歯科模型を直接支持体に取外し可能に取付けることを提供する。ストレッチリリース感圧接着剤は、歯科模型と、支持体の装着面との間の一部又は全体に配置され、ストレッチリリース感圧接着剤は、歯科模型を支持体に取付ける。次いで、歯科模型を検討および分析するため、支持体を研究机、作業台、又は咬合器上でコンピュータ化された走査装置内に装着することができる。ストレッチリリース感圧接着剤を伸張することにより、歯科模型と支持体とは分離でき、ストレッチリリース感圧接着剤は、歯科模型と、支持体の装着面の両方から分離する。
【００２４】
本発明の利点の１つは、歯科模型を支持構造体から素早くきれいに脱離させ得ることである。支持体に模型を保持するのに使用される構造体の中に未硬化の成型材料が埋設される、従来の歯科模型の装着方法とは異なり（例えば、支持体の蟻部、又は模型の中に埋設されるピン）、本発明により、最小限の労力で、および、歯科模型の損傷が最小限であるか、又はない状態で歯科模型を支持体から取外すことができる。
【００２５】
本発明の他の利点には、歯科模型を支持体の装着面にしっかりと取付けるストレッチリリース感圧接着剤の能力が挙げられる。更に、ストレッチリリース感圧接着剤の基材は、歯科模型の凹凸した表面、および／又は支持体の装着面に適合できる。このため、ストレッチリリース感圧接着剤は、歯科模型および／又は支持体のより広い表面と接触することができる。硬質材料から構成される歯科模型は、また、ストレッチリリース感圧接着剤の使用により、支持体に固定することができる。硬質材料の方が彫刻又は成形が容易であるため、硬質材料で構成される歯科模型が望ましく、より柔軟な歯科成型材料と比較して、歯の構造のより高い解像度が達成され得る。また、支持体およびストレッチリリース感圧接着剤により、支持体と、取付けられる歯科模型との間の振動が幾分減衰する場合がある。そのため、例えば、歯科模型と支持体が装着されるコンピュータ自動設計システムからの振動は、基材の存在により減衰され得る。本発明の別の利点は、歯科模型材料の中に「固定」されない、又は歯科模型を支持体から分離する溶媒を必要としない、安価な既製のテープ（即ち、基材およびストレッチリリース感圧接着剤）を使用するという便利さである。本発明の他の利点は、以下に記載される。
【００２６】
図１は、本発明による装置１０の一実施形態を示す。装置１０は、歯科模型１２、支持体１４、および歯科模型１２と支持体１４との間に配置されるストレッチリリース感圧接着剤１６を備える。支持体１４は、ストレッチリリース感圧接着剤１６が固定される装着面１８を備える。本実施例では、ストレッチリリース感圧接着剤１６は、歯科模型１２を装着面１８に取付けるが、接着剤１６は、引張られると伸張して取外すことができる。伸張して取外すことができる手段は、感圧接着剤が引張られて伸長したとき、被着体表面の顕著な損傷がなく、および、ヒトの肉眼で見える顕著な残留物を支持体又は歯科模型のどちらにも残すことなく、支持体および歯科模型などの被着体表面から外れることを意味する。
【００２７】
図示される実施形態では、ストレッチリリース感圧接着剤１６は、接着剤シートの形態である。接着剤１６のシートは伸展性であり、ストレッチリリース感圧接着剤１６を伸張することにより、歯科模型１２と支持体１４とを分離可能にすることができる。ストレッチリリース感圧接着剤１６を装着面１８から約３５°以下の角度１７で伸張することにより、支持体１４と歯科模型１２とは分離される。接着剤を伸張する角度は、装着面１８の平面より上、又は下で測定できる。
【００２８】
ストレッチリリース感圧接着剤１６には、前記に定義されるように、それらが伸張して取外すことができる限り、何種類もの感圧接着剤を挙げることができる。好ましくは、接着剤自体は、前記に定義されるように、伸張して取外すことができる。ストレッチリリース感圧接着剤１６は、好ましくは、歯科模型の成形材料上での使用が好適である。接着特性は、例えば、約１３Ｎ／ｄｍ以上、約２５Ｎ／ｄｍ以上、約１００Ｎ／ｄｍ以下、又は約２００Ｎ／ｄｍ以下であってもよく、ここで、接着特性は全て、ＰＳＣＴ−１およびＰＳＣＴ−３およびＡＳＴＭ  Ｄ−９０３−８３に従い、剥離速度１２．７ｃｍ／分、剥離角度１８０°で測定される。更に、接着特性は、前述の接着特性の任意の組合せの間の範囲内（例えば、約１３Ｎ／ｄｍ〜約２００Ｎ／ｄｍ、又は約２５Ｎ／ｄｍ〜約１００Ｎ／ｄｍ）であってもよい。通常、高い剥離接着レベルを有する接着剤ほど、引張強度の大きい基材を必要とする。
【００２９】
本発明に好適な感圧接着剤は、例えば、天然ゴム、合成ゴム、粘着付与されたゴム接着剤、オレフィン、シリコーン、ポリイソプレン、ポリブタジエン、ポリウレタン、スチレンブロックコポリマー（スチレン−イソプレン−スチレンおよびスチレン−ブタジエン−スチレンブロックコポリマーなど）、および他のエラストマー、ポリビニルエーテル、ポリ（メタ）アクリレート（ポリアクリレートとポリメタクリレートの両方を包含する）、ポリオレフィン、粘着付与された、又は粘着付与されていないアクリル系接着剤（イソオクチルアクリレートとアクリル酸とのコポリマーなど）をベースにするものが挙げられ、これらは放射線、溶液、懸濁、又は乳化技術によって重合できる。
【００３０】
必要に応じて、ベース材料に粘着付与剤を添加し、感圧接着剤を形成してもよい。有用な粘着付与剤には、例えば、ロジンエステル樹脂、芳香族炭化水素樹脂、脂肪族炭化水素樹脂、およびテルペン樹脂などが挙げられる。他の材料、例えば、油、可塑剤、酸化防止剤、紫外線（「ＵＶ」）安定剤、水素化ブチルゴム、顔料、および硬化剤などを特定の目的のために添加することができる。また、架橋接着剤を使用することもでき、特に、架橋感圧接着剤は、高い剪断強度を付与する。他の接着剤には、化学架橋剤と共に、又は化学架橋剤なしで放射線によって架橋されるものが挙げられる。高剪断強度を有するこのような接着剤は、剥離力が低く、伸張すると容易に取外すことができる。
【００３１】
伸張性ブロックコポリマーの一例には、Ａ−Ｂ−Ａ型ブロックコポリマー構造を有する粘着付与されたエラストマーを使用して形成されるものが挙げられ、ここでＡブロックおよびＢブロックは、直鎖状、放射状、又は星形の配列に配列される。Ａブロックは、分子量約４０００〜約５０，０００のモノ−アルケニルアレーン（好ましくはポリスチレン）ブロックで形成される。一実施形態では、Ａブロック含有率は、約１０重量％〜約５０重量％である。別の実施形態では、Ａブロックは、α−メチルスチレン、ｔ−ブチル−スチレン、および他の環−アルキル化スチレン、並びにこれらの混合物から形成されてもよい。一実施形態では、Ｂブロックは、エラストマー共役ジエン、一般に、ポリイソプレン、ポリブタジエン、又は平均分子量が約５０００〜約５００，０００のこれらのコポリマーで形成される。また、Ｂブロックジエンを水素化することもできる。一実施形態では、Ｂブロック含有率は、ブロックコポリマーの約９０％〜約５０％である。伸張性ブロックコポリマー用の粘着付与成分は、一般に、固体の粘着付与樹脂、液体粘着付与剤、可塑剤、又はこれらの混合物である。一実施形態では、接着剤ポリマーに使用する液体粘着付与剤又は可塑剤には、ナフテン系油、パラフィン系油、芳香族系油、鉱油、又は低分子量ロジンエステル、ポリテルペンおよびＣ−５樹脂などが挙げられる。
【００３２】
感圧接着剤は、例えば、ポリ（メタ）アクリレート（例えば、ポリメタクリル又はポリアクリル感圧接着剤など）をベースにしてもよい。ポリ（メタ）アクリル感圧接着剤は、例えば、少なくとも１種類のアルキルエステルモノマー、例えば、イソオクチルアクリレート、イソノニルアクリレート、２−メチル−ブチルアクリレート、２−エチル−ヘキシルアクリレート、およびｎ−ブチルアクリレートなど、および、任意選択的なコモノマー成分、例えば、（メタ）アクリル酸、酢酸ビニル、Ｎ−ビニルピロリドン、（メタ）アクリレート、（メタ）アクリルアミド、ビニルエステル、フマレート、スチレンマクロマー、又はこれらの混合物などから誘導される。更に、ポリ（メタ）アクリル感圧接着剤は、アクリル酸約０〜約２０重量％、およびイソオクチルアクリレート、２−エチル−ヘキシルアクリレート、又はｎ−ブチルアクリレート組成物のうち少なくとも１種類、好ましくはイソオクチルアクリレートを約１００重量％〜約８０重量％から誘導されてもよい。追加の実施形態では、接着剤は、アクリル酸約２重量％〜約１０重量％、イソオクチルアクリレート約９０重量％〜約９８重量％、およびスチレンマクロマー約２重量％〜約６重量％から誘導される。
【００３３】
ポリ（メタ）アクリレート感圧接着剤は、溶液、放射線、塊状、分散、乳化、および懸濁重合プロセスを含めた、様々なフリーラジカル重合プロセスによって合成することができる。（特許文献５）（コットナー（Ｋｏｔｎｏｕｒ）ら）、又は（特許文献６）（コットナー（Ｋｏｔｎｏｕｒ）ら）に記載の連続的フリーラジカル重合方法、（特許文献７）（エリス（Ｅｌｌｉｓ）ら）に記載のバッチ反応器を使用する本質的に断熱の重合方法、および（特許文献８）（ハーマー（Ｈａｍｅｒ）ら）に記載の包装された接着剤前駆体（ｐｒｅ−ａｄｈｅｓｉｖｅ）組成物の重合に関して記載されている方法などの塊状重合方法を使用してもよい。
【００３４】
本発明で有用なポリ（メタ）アクリレート感圧接着剤には、粘着付与剤（ウッドロジン、ポリエステルなど）、可塑剤、流れ調整剤、中和剤、安定剤、酸化防止剤、充填材、および着色剤などの慣用の添加剤が挙げられる。また、（メタ）アクリレートコポリマーの調製に使用されるモノマーと共重合可能でない開始剤を使用して、重合および／又は架橋の速度を高くすることができる。これらの添加剤は、感圧接着剤の所望の特性に著しく悪影響を与えない量で組み込まれる。典型的には、それらを、組成物の総重量を基準にして約０．０５重量％〜約２５重量％の量でこれらの系に混合することができる。
【００３５】
更に、本発明に使用される感圧接着剤は、単一の感圧接着剤とすることができるか、又は、それは、２種類以上の感圧接着剤の組合せとすることができる。好適な接着剤は、スチレンブロックコポリマーのように本質的に伸張する傾向があるか、又はそれらを補強して凝集力および伸張性を増大することができる。本発明に使用されるストレッチリリース感圧接着剤は、連続層又は非連続層（例えば、多孔質層）の形態をとることができる。これは、例えば、溶剤系コーティング、スクリーン印刷、ローラー印刷、溶融噴霧、ストライプコーティング、又は積層プロセスなどから得られてもよい。また、多孔性は、連続接着剤層を穿孔することによって生じることもできる。接着剤は、感圧接着性、好ましくは、伸張して取外すことができる感圧接着性を有する限り、非常に様々な厚さを有することができ、厚さは、約２５マイクロメートル〜約１，０００マイクロメートル、好ましくは約５０マイクロメートル〜約４００マイクロメートルの範囲である。
【００３６】
図１の歯科模型１２は、多量の成型材料２０を備える。成型材料２０は、基部表面２４と上部表面２６を有するように成形され、上部表面２６は、１つ以上の口腔構造（例えば、歯、歯肉組織、２本以上の歯によって画定される隙間など）を複製する。ストレッチリリース感圧接着剤１６は、基部表面２４を支持体１４の装着面１８に取付ける。上部表面２６は、口腔構造を表す。図示される実施形態では、口腔構造には、患者の口の１本以上の歯２８および歯肉組織３０の模型が含まれる。
【００３７】
図１に示される歯科模型１２は、概ね直立した長い形状を有し、３本の歯２８のみの複製を有する。しかし、１本以上の歯部分を有する他の口腔構造を歯科模型１２で複製できることが分かる。例えば、歯科模型１２は、１本の歯又はその一部の複製を有することができる。別の代替として、歯科模型１２は、平面図で、患者の歯列弓中の全ての歯を表すのに十分な数の歯２８を有する全体的に略「Ｕ」形の形状、又は患者の歯列弓の二分の１（四分円としても知られる）を表すのに十分な数の歯２８を有する全体的に略「Ｊ」形の形状を有してもよい。他の分量の歯および／又は口腔構造を有する模型も可能である。
【００３８】
歯科模型の形状に適合させるため、ストレッチリリース感圧接着剤１６の層を、ある範囲の形状に作製することができる。例えば、ストレッチリリース感圧接着剤１６の層は、長方形、正方形、直線、曲線、「Ｊ」形、「Ｕ」形、円形、多角形、又は他の幾何学的形状とすることができる。更に、接着剤１６の層を２つ以上使用して歯科模型を支持体に装着し、固定することができる。
【００３９】
歯科模型１２を作製するのに使用される成型材料は、歯科模型を作製するのに有用な任意の材料とすることができる。好適な材料の例には、石膏、アクリレートベースおよびメタクリレートベースの樹脂および複合材料、エポキシベースの樹脂および複合材料、リン酸塩が結合している耐熱材料（ｐｈｏｓｐｈａｔｅ−ｂｏｕｎｄ  ｒｅｆｒａｃｔｏｒｙ  ｍａｔｅｒｉａｌｓ）、およびシリコーンが挙げられる。成型材料は、例えば、硬化時間が比較的短く、材料の成分が一緒に混合されると硬化し始める場合がある。或いはまた、成型材料は、例えば、指示で（例えば、成型材料の光重合反応を開始する硬化光の使用で）硬化できる材料で作製されてもよい。
【００４０】
歯科模型１２は、多数の技術のうちのいずれか１つに従って作製されてもよい。例えば、ポジの歯科模型を得るため、患者の口腔の所望の領域の印象が最初に得られる。印象を調製するため、多量の硬化性歯科印象材料が印象トレイに入れられ、次いでトレイは、印象材料が選択された目的の領域を充填し、取囲むように患者の口腔内に位置決めされる。印象材料が硬化すると、又は少なくとも一部硬化すると、印象材料はトレイと共に口腔から取出される。
【００４１】
前述の印象から歯科模型１２を作製するために、成型材料を硬化した印象材料の凹部の中に注ぐか、又は入れる。成型材料が硬化すると、印象材料は、得られる型から取外される。適切に作製されると、歯部分および歯肉部分は、患者の口腔の対応する歯部分および歯肉部分の正確な物理的複製を提供する。別の実施形態では、印象自体が、本発明により固定される歯科模型の役割をする。
【００４２】
様々な歯科印象材料が市販されており、本発明の方法に従って使用されてもよい。アンダーカット領域、および凹部などが歯の構造内に存在する場合でも、硬化時に、エラストマー材料の可撓性により、材料を口腔から容易に取出すことができるため、エラストマー印象材料が一般に好ましい。しかし、また、非エラストマー印象材料（焼石膏など）を使用してもよい。
【００４３】
エラストマー歯科印象材料は、５つの主な分類、即ち、可逆親水コロイド、不可逆親水コロイド、ポリスルフィド、シリコーン、およびポリエーテルの１つに入ると考えられることが多く、このうち最後の４つは熱硬化性である。不可逆親水コロイド印象材料の一例には、３Ｍユニテック・コーポレーション（３Ｍ  Ｕｎｉｔｅｋ  Ｃｏｒｐｏｒａｔｉｏｎ）製のユニジェル（ＵＮＩＪＥＬ）−２商標のアルギン酸塩印象材料がある。シリコーン歯科印象材料の一例には、３Ｍ  ＥＳＰＥ(ミネソタ州セントポール(Ｓｔ．Ｐａｕｌ，ＭＮ))製のエクスプレス（ＥＸＰＲＥＳＳ）商標印象材料がある。
【００４４】
一実施形態では、ストレッチリリース感圧接着剤１６のシートは、図１の３４で示されるように、予め定められた長さを有する。ストレッチリリース感圧接着剤１６の予め定められた長さ３４は、伸張されていない状態で示される。予め定められた長さ３４は、歯科模型１２の大きさおよび形状の関数であり、歯科模型の長さは、典型的には、ストレッチリリース感圧接着剤１６の予め定められた長さ３４を決定する際の要因となる。例えば、ストレッチリリース感圧接着剤１６の長さ３４は、歯科模型１２の幅および長さのうち少なくとも１つの寸法より大きく、そのため、ストレッチリリース感圧接着剤１６の少なくとも一部が、歯科模型１２の基部２４および支持体１４のうちの一方、又は両方の外周を越えて突出する。次いで、歯科模型１２の脱離が必要なとき、使用者は、ストレッチリリース感圧接着剤の突出部分を把持することができる。このため、例えば、ストレッチリリース感圧接着剤１６の長さ３４は、歯科模型１２の長さより大きい。
【００４５】
一実施形態では、ストレッチリリース感圧接着剤１６のシートをそのシートの予め定められた長さ３４の少なくとも約５０％まで伸張することにより、ストレッチリリース感圧接着剤１６は、歯科模型１２および支持体１４から取外すことができる。ストレッチリリース感圧接着剤１６のシートは、接着剤シート１６が歯科模型１２と支持体１４との分離の前に破断しないように、十分な引張破断強度を有することが好ましい場合がある。
【００４６】
図１のストレッチリリース感圧接着剤１６は、ストレッチリリース感圧接着剤の１つ又は複数の自己支持層から本質的になることが好ましい場合がある。或いはまた、歯科模型は、基材上のストレッチリリース感圧接着剤を使用して貼付されてもよい。図２は、第１の主面４８および第２の主面５０を有する基材４６を更に備える装置４０の構成の拡大部分断面図を表し、ストレッチリリース感圧接着剤５２の層は、第１の主面４８と第２の主面５０のそれぞれに配置されている。一実施形態では、基材およびストレッチリリース感圧接着剤は、別々の相を形成する（即ち、別々の層に存在する）。他の構造も可能である。
【００４７】
歯科模型４２と支持体４４とを分離するように、基材４６およびストレッチリリース感圧接着剤５２は伸展性であり、基材は、歯科模型４２と支持体４４からストレッチリリース感圧接着剤５２を取外す前に基材４６が破断しないような、引張破断強度を有する。一実施形態では、基材４６および接着剤５２を支持体４４の装着面５４から約３５°以下の角度５３で伸張することにより、歯科模型４２と支持体とは分離する。基材４６および接着剤５２を伸張する角度は、装着面５４の平面の上又は下で測定することができる。
【００４８】
図２は、歯科模型および／又は支持体が互いに平面を有していない実施形態を更に表す。図２では、歯科模型４２が示されており、支持体４４に隣接する非平面を有する。更に、基材４６は基部表面５６のある程度の凹凸および／又は表面曲線に適応できるため、歯科模型４２の基部表面５６は平坦である必要はない。また、支持体４４に隣接する非平面を有する支持体４４が示されている。この図では、歯科模型４２および支持体４４はそれぞれ、基材４６および接着剤５２によって取付けられる曲面を有する。支持体４４および／又は模型４２では他の表面形状および輪郭が可能であり、基材４６および接着剤５２は、支持体４４および／又は模型４２の表面構造と、支持体４４および／又は模型４２の全表面輪郭の両方に適合する。このような状況では、伸張角度５３は、例えば、接着剤５２と支持体４４との間の脱離点における正接線から測定されてもよい。
【００４９】
一実施形態では、ストレッチリリース感圧接着剤を有する好適な基材の例は、クレッケル（Ｋｒｅｃｋｅｌ）らに付与された（特許文献９）、および「取外し可能な発泡接着テープ」と題され、ブリース（Ｂｒｉｅｓ）らに付与された（特許文献１０）に記載されている。ストレッチリリース感圧接着剤を有する基材の別の例には、３Ｍ社（３Ｍ  Ｃｏｍｐａｎｙ）（ミネソタ州セントポール（Ｓｔ．Ｐａｕｌ，ＭＮ））により販売されているコマンド（ＣＯＭＭＡＮＤ）商標の接着ストリップがある。
【００５０】
基材４６に好適な材料には、例えば、高い引張強度を有する高伸展性ポリマーシート材料を挙げてもよい。高伸展性ポリマーシート材料は、例えば、長さ方向の破断伸度が、基材の予め定められた長さの約５０％以上、基材の予め定められた長さの約１５０％以上、又は基材の予め定められた長さの約３５０％以上であってよい。破断伸度の他端では、シート材料は、破断伸度が、基材の予め定められた長さの約７００％以下、又は基材の予め定められた長さの約１２００％以下であってよい。破断伸度は、長さ方向の破断伸度に関して記載されたパーセンテージの対の間の範囲を包含することができる。
【００５１】
高伸展性ポリマーシート材料は、実質的に非弾性であってよく、例えば、伸張された後の弾性回復が約５０％未満、伸張された後の弾性回復が約３０％未満、又は伸張された後の弾性回復が約２０％未満であってもよい。更に、高伸展性ポリマーシート材料は、ヤング率が少なくとも約６８９ＫＰａ、少なくとも約１７，２３７ＫＰａ、少なくとも約２０，６８４ＫＰａ、少なくとも約３４，４７４ＫＰａ、約４９９，８７０ＫＰａ未満、約３４４，７３８ＫＰａ未満であってもよく、又はヤング率は、記載されるヤング率の対の間の範囲を包含することができる。ヤング率が大き過ぎる場合、基材を十分に伸張することが困難であり、伸張時に接着剤がきれいに脱離しない場合がある。ヤング率が小さすぎる場合、基材は可塑性を失い、ゴム状になる場合がある。
【００５２】
しかし、基材が粘着した表面（例えば、歯科模型および支持体）から接着剤および基材を取外す前に基材が破断しないように、基材の引張破断強度は十分に大きいことが好ましい。基材の引張破断強度は、好ましくは、少なくとも約２９，６４７ＫＰａ、少なくとも約３６，５４２ＫＰａ、又は少なくとも約４３，４３７ＫＰａであってもよい。
【００５３】
基材４６は、例えば、ポリマー発泡フィルムであってよい。基材４６に好適な材料の幾つかの代表的な例には、ポリエチレン（高密度ポリエチレン、低密度ポリエチレン、直鎖低密度ポリエチレン、および直鎖超低密度ポリエチレンなど）、ポリプロピレン、およびポリブチレンなどのポリオレフィン、ポリ塩化ビニル（可塑化および無可塑の両方）、およびポリ酢酸ビニルなどのビニルコポリマー、エチレン／メタクリレートコポリマー、エチレン／酢酸ビニルコポリマー、アクリロニトリル−ブタジエン−スチレンコポリマー、およびエチレン／プロピレンコポリマーなどのオレフィン系コポリマー、アクリルポリマーおよびコポリマー、およびこれらの組合せなどが挙げられる。また、ポリプロピレン／ポリエチレン、ポリウレタン／ポリオレフィン、ポリウレタン／ポリカーボネート、ポリウレタン／ポリエステルなどの、任意のプラスチック材料の混合物又はブレンド、又はプラスチック材料とエラストマー材料との混合物又はブレンドを使用することもできる。基材４６は、単一層又は多層フィルム、不織フィルム、多孔質フィルム、フォーム状フィルム、およびこれらの組合せの形態とすることができる。また、基材は、例えば、充填フィルム（例えば、炭酸カルシウムを充填したポリオレフィン）などの充填された材料から調製することができる。基材は、ポリエチレンおよびポリプロピレンフィルムから選択されてもよく、材料の一例は、直鎖低密度および超低密度ポリエチレンフィルムである。
【００５４】
基材４６は、例えば、押出し、共押出し、溶液流延、発泡、および不織技術などの、既知の任意のフィルム形成法で作製することができる。基材４６は、加工可能で、取扱い可能であるために十分な一体性を有する限り、任意の厚さを有することができる。基材４６上の接着剤５２の厚さは、約２５マイクロメートル〜約１，０００マイクロメートルの範囲とすることができ、約５０マイクロメートル〜約４００マイクロメートルを包含する。
【００５５】
本発明に使用されるテープ（即ち、接着剤を塗工した基材）は、感圧接着テープを調製する任意の慣用的な方法で製造されてもよい。例えば、接着剤は、基材に直接塗工されても、又は別の層として形成された後、基材に積層されてもよい。幾つかの場合、接着剤層の基材への接着を改善するため、塗工段階、又は積層段階の前に、次の方法、即ち、コロナ放電、プラズマ放電、火炎処理、電子線照射、紫外線放射、酸腐食、又は化学下塗のうちの１つ以上で前処理することができる。このような前処理は、ヒドロキシエチルアクリレート、若しくはヒドロキシエチルメタクリレートなどの反応性化学接着促進剤、又は低分子量の他の反応種を用いて、又は用いずに実施できる。ポリマーフィルム基材が使用される場合、コロナ放電前処理が好ましい場合がある。
【００５６】
ストレッチリリース感圧接着剤５２および基材４６は予め定められた長さを有し、その一例は図２の６０で示されている。ストレッチリリース感圧接着剤５２および基材４６は、伸張されていない状態で示されている。予め定められた長さ６０は、歯科模型４２の大きさおよび形状の関数であり、歯科模型４２の長さは、ストレッチリリース感圧接着剤５２および基材４６の予め定められた長さ６０を決定する際の要因となる。例えば、ストレッチリリース感圧接着剤５２の少なくとも一部が、歯科模型４２の基部５６と支持体４４のうちの一方又は両方の周囲を越えて突出するように、ストレッチリリース感圧接着剤５２および基材４６の長さ６０は、歯科模型４２の幅又は長さのうちの少なくとも一方の寸法より大きいことが好ましい。歯科模型４２の脱離が必要なとき、使用者は、ストレッチリリース感圧接着剤の突出部分を把持することができる。そのため、例えば、ストレッチリリース感圧接着剤５２の長さ６０は、歯科模型４２の長さより大きい。或いはまた、図示される実施形態におけるストレッチリリース感圧接着剤５２および基材４６の長さ６０は、歯科模型４２の長さより大きい。
【００５７】
ストレッチリリース感圧接着剤５２は、例えば、基材４６の予め定められた長さ６０の少なくとも約５０％まで基材４６と接着剤５２を伸張することにより、歯科模型４２と支持体４４から取外すことができてもよい。基材４６と接着剤５２が歯科模型４２と支持体４４との分離前に破断しないように、基材４６およびストレッチリリース感圧接着剤５２のシートは、十分な引張破断強度を有することが好ましい場合がある。
【００５８】
別の実施形態では、基材４６は伸展性があるだけでなく、実質的に回復不可能である。本明細書で使用される場合、実質的に回復不可能とは、伸張された基材が伸張と反対の方向に反発したり、又は素早く戻ったりしないことを意味する。更に、伸張された基材は、基材が伸張された形状を実質的に保持する場合がある。基材の回復不可能な性質によって、伸張した基材を脱離するとき、基材が使用者、歯科模型、又は支持体を打つ可能性が少なくなるか、又はそれを防止する場合がある。
【００５９】
歯科模型の形状に適合するように、ストレッチリリース感圧接着剤５２を塗工した基材４６を、ある範囲の形状に作製することができる。例えば、接着剤５２を有する基材４６は、長方形、正方形、直線、曲線、「Ｊ」形、「Ｕ」形、円形、多角形、又は他の幾何学的形状を有することができる。更に、接着剤５２を有する基材４６の２つ以上の層を使用して、歯科模型を支持体に装着し、固定することができる。
【００６０】
図３は、本発明による装置８０の別の実施形態を示す。図３には、歯科模型８２、支持体８４、および、歯科模型８２と支持体８４との間の少なくとも一部に配置される基材８６が含まれる。基材８６は、第１の主面８８と第２の主面９０を有し、ストレッチリリース感圧接着剤９２の層が、第１および第２の主面８８および９０の両方に配置されている。前述のように、基材８６とストレッチリリース感圧接着剤９２は伸展性があり、基材８６が破断することなく、歯科模型８２と支持体８４とを分離する。
【００６１】
また、図３は、タブ部分１００を更に有する基材８６を示し、タブ部分１００は、歯科模型８２および支持体８４のうちの少なくとも一方を越えて突出する。この実施例では、基材８６およびストレッチリリース感圧接着剤９２は、タブ部分１００から伸張される。図示される実施形態のタブ部分１００は、ストレッチリリース感圧接着剤９２が実質的にない基材８６の一領域である。この実施形態では、基材だけがタブ部分１００を形成する。
【００６２】
基材８６は、タブ部分１０２を更に備えることができ、図示される実施形態では、これは、タブ１００とは基材８６の反対側にある。タブ部分１０２は、歯科模型および支持体のうちの少なくとも一方を越えて突出し、基材８６およびストレッチリリース感圧接着剤９２は、少なくとも第２のタブ部分１０２から伸張される。ストレッチリリース感圧接着剤９２は、タブ部分１０２の領域に存在するが、タブ部分１０２に配置されるストレッチリリース感圧接着剤が全く露出しないように被覆される。この実施例では、材料のシート１０１、又は層がストレッチリリース感圧接着剤を被覆し、接着剤が露出しないようにする。
【００６３】
タブ部分１００およびタブ部分１０２は、異なる構成（例えば、接着剤のない部位、および接着剤を被覆する剥離ライナーを有する部位）を有する必要はないが、同じ構成を有する（例えば、両方のタブ部分に接着剤がないか、又は両方のタブ部分が接着剤を被覆する剥離ライナーを有する）ことができることを理解すべきである。
【００６４】
タブ部分は、基材８６と感圧接着剤９２との取外しを容易にする様々な異なる特徴、例えば、把持レッジ、折り目、ループ、および他のデバイスを備えることができる。タブは、様々な形状および大きさとすることもできる。例えば、基材８６が全ての方向で歯科模型８２と支持体８４を越えて突出するように、基材８６は、実質的に全ての方向で歯科模型８２および／又は支持体８４より大きくてもよい。このような実施形態では、基材８６は、歯科模型８２および／又は支持体８４の周囲に延びる単一の連続的なタブを形成してもよい。
【００６５】
また、タブは、製造中に基材に折り目を付けることなどにより、基材の他の部分から形成されてもよく、それは接着剤の塗布の前又は後に行うことができる。或いはまた、基材は、任意選択的に端部が重なり合う２枚の形態とすることもでき、それらのそれそれが非接着部分、即ち、露出した接着剤がない部分を有する。これらの端部は接着剤がないか、又は、端部に、接着剤を被覆する少なくとも１枚の剥離ライナーを有することができる。
【００６６】
タブは、支持体から歯科模型を取外すのに特に有利である。使用者は、歯科模型を単独で把持するか、又は、歯科模型と支持体の両方を把持する。次いで、使用者は、伸張して脱離できる接着剤を塗工した基材を支持体の平面の上又は下に３５°以内の方向に引張る。伸張して脱離できる接着剤を塗工した基材が歯科模型から脱離するとき、使用者は、模型が支持体から脱離するように歯科模型を保持した状態を維持する。更に、伸張して脱離できる接着剤は、歯科模型上に残留物がほとんど、又は全く残らない。タブは、その位置および／又は境界を示すように着色されてもよく、歯科模型と支持体を脱離するためにどちらに引張るのかを示す矢印が印刷されてもよい。ストレッチリリース感圧接着剤、又はストレッチリリース感圧接着剤と他の歯科物品とのキットが入った包装紙、若しくは箱の上に、他の説明書があってもよい。
【００６７】
図３に示されている実施形態は、任意選択的なデータ収集装置１１２を更に備える。データ収集装置１１２は、歯科模型８２から電子データセットを収集するのに使用される。データ収集装置１１２は、例えば、レーザースキャナ１１４を備えてもよく、これは、歯部分１１６および歯肉部分１１８の空間特性に関する電子データを収集するため、歯科模型８２に近接される。データセットを収集する時、歯部分１１６および歯肉部分１１８のの目的とする表面全てが走査されるように、歯科模型８２およびレーザースキャナ１１４を互いに移動させる。例えば、レーザー光線が目的の表面全体を走査できるように、支持体８４が通路に沿って移動する間、スキャナ１１４は静止状態に保持されてもよい。或いはまた、レーザースキャナ１１４が歯科模型８２の回りを移動する間、支持体８４は静止状態に保持されてもよい。別の実施形態では、データセットの収集の間、レーザースキャナ１１４と歯科模型８２の両方を移動させる。
【００６８】
更に、その電子データのセットを、データを収集するのと同じ関係者によって、又は第三者によって実施される他の歯科（歯科矯正学など）手順に使用してもよい。このような手順の例には、患者の記録としての電子データの使用、患者教育のための使用、保険認可又は確認のため、補綴物の製作のため、診断のため、治療計画のため、および第三者（例えば、歯科医院から離れた歯科技工所など）への伝達のための使用が挙げられる。このような任意の方法における電子データの伝達は、例えば、データ収集装置から離れた場所にあるコンピュータ、コンピュータ支援フライスシステム、第三者などへのものであってよい。
【００６９】
電子データを収集する他の方法には、機械側面計、光学的画像化（例えば、カメラ）、および他の種類の走査方法などが挙げられる。走査作業が完了すると、歯科模型８２は支持体８４から取外される。使用者は、基材８６およびストレッチリリース感圧接着剤９２をタブ部分１００又は１０２のいずれか一方のみから伸張することによって、歯科模型８２を支持体８４から脱離することができる。或いはまた、使用者は、タブ部分１００と１０２の両方を別々に、又は本質的に同時に伸張することによって、歯科模型８２と支持体８４とを脱離することができる。
【００７０】
図４は、本対象物による装置１２０の別の実施形態を示す。装置１２０は、歯科模型１２４および支持体１２８を備える。歯科模型１２４および支持体１２８は、前述の構造に類似し、歯科模型１２４は、全体的に「Ｕ」形の形状の患者の歯列弓の一例である。装置１２０は、歯科模型１２４と支持体１２８との間の少なくとも一部に配置され、第１の主面１３４と第２の主面１３８とを有する基材１３０を更に備える。
【００７１】
１層のストレッチリリース感圧接着剤１４０が、第１の主面１３４および第２の主面１３８に配置される。基材１３０およびストレッチリリース感圧接着剤１４０は伸展性であり、基材１３０が破断することなく、歯科模型１２４と支持体１２８とを分離する。
【００７２】
また、図４は、第１のタブ部分１５０、第２のタブ部分１５４、第３のタブ部分１５６、および第４のタブ部分１５８を更に備える基材１３０を示す。１つ以上のタブ部分が、歯科模型１２４と支持体１２８の少なくとも一方を越えて突出することが好ましい。本実施例では、基材１３０およびストレッチリリース感圧接着剤１４０は、１つ以上のタブ部分から伸張される。
【００７３】
図示される実施形態では、第１のタブ部分１５０は、装着面を横切って第２のタブ部分１５４と反対側にあり、第３のタブ部分１５６は、装着面１４４を横切って第４のタブ部分１５８と反対側にある。基材１３０およびストレッチリリース感圧接着剤１４０は、第１のタブ部分１５０、第２のタブ部分１５４、第３のタブ部分１５６、および第４のタブ部分１５８のいずれか１つから伸張することができる。
【００７４】
図示される実施形態では、第１、第２、第３および第４のタブ部分１５０、１５４、１５６、および１５８は、ストレッチリリース感圧接着剤１４０が実質的にない基材１３０の領域である。この実施形態では、基材だけがタブ部分１５０、１５４、１５６、および１５８を形成する。或いはまた、ストレッチリリース感圧接着剤１４０は、タブ部分１５０、１５４、１５６、および１５８の領域に存在するが、タブ部分１５０、１５４、１５６、および１５８に配置されるストレッチリリース感圧接着剤が全く露出しないように、前述のように被覆されている。
【００７５】
使用者は、第１、第２、第３および第４のタブ部分１５０、１５４、１５６、又は１５８のいずれか１つから、基材１３０およびストレッチリリース感圧接着剤１４０を把持し、引張ることにより、支持体１２８から歯科模型１２４を脱離することができる。或いはまた、使用者は、反対側にある第１および第２のタブ部分１５０および１５４、および／又は、反対側にある第３および第４のタブ部分１５６および１５８を、連続的に又は同時に伸張することによって、模型１２４と支持体１２８を脱離することができる。
【００７６】
図５は、本発明による装置２００の別の実施形態を示す。図５は、歯科模型２０２、支持体２０６、および歯科模型２０２と支持体２０６との間の少なくとも一部に位置する基材２１０を備える。歯科模型２０２、支持体２０６、およびストレッチリリース感圧接着剤を有する基材２１０は、前述の通りである。更に、装置２００は、ホルダ２１６を更に備え、ホルダ２１６は歯科模型２０２に固定され、ストレッチリリース感圧接着剤はホルダ２１６を支持体２０６に取付ける。
【００７７】
この実施形態では、ホルダ２１６は、平面図で長方形の形状を有する細長い形を有するが、他の形も可能である。例えば、ホルダ２１６は、平面図で正方形、円形、又は楕円形の形状を有し、これは、一本の歯部分しかない模型で使用するのに特に好適な場合がある。別の代替として、ホルダ２１６は、それぞれ、歯列弓全体又は四分円を表すのに十分な歯部分を有する模型の形に適合するように、平面図で、全体的に略「Ｕ」形の形状、又は全体的に略「Ｊ」形の形状を有してもよい。一実施形態では、歯科模型又はホルダの一例は、本発明の出願人に譲渡され、「歯科模型およびその固定方法」と題された（特許文献１１）（代理人整理番号５５５８１ＵＳ００２）に記載されている。
【００７８】
図示されるホルダ２１６は、２面がある幾分平面の形状を有する。ホルダ２１６の一面（即ち、第１の面）は、成型材料２２０に埋設されるテクスチャ加工表面（例えば、キャップ付きステム、フックなど）を有する。好ましくは、テクスチャ加工表面は、成型材料２２０が硬化する前に、成型材料２２０と接触し、後者が硬化する時、成型材料２２０と接触した状態を維持し、そのため、ホルダ２１６が成型材料２２０に最後にしっかりと連結される。一実施例では、ホルダ２１６および基材２１０は、単一ユニットとして供給され、この場合、ホルダ２１６は、ストレッチリリース感圧接着剤により基材２１０に固定されている。一実施例では、ストレッチリリース感圧接着剤は、テクスチャ加工表面の反対側のホルダ２１６に表面に沿って、ホルダ２１６を基材２１０に固定する。
【００７９】
図６は、前述の歯科模型を作製するための、又は前述の方法で使用するための構成要素を収納するパッケージ３０４を備える歯科キット３００の一実施形態を表す。歯科キット３００は、歯科成型材料３０６および取付け物品３１０を備える。取付け物品３１０は、前述のように、成型材料から作製される歯科模型を支持体の装着面に取付けるための、ストレッチリリース感圧接着剤（基材あり又は基材なし）を含むことができる。また、パッケージ３０４は、任意選択的に、次の品目、即ち、歯科修復材料、歯科補綴材料、歯科成型材料、説明書、歯科セメント、歯科接着剤、印象材料、シェードガイド、一時的歯科修復材料、ホルダ、容器、研磨剤、ツール、機器、印象トレイ、ストレッチリリース感圧接着剤に予め取付けられているホルダのうちの１つ以上を備え、これらは、全体を３２０で示されている。好適な歯科補綴材料の一例は、「歯科補綴物用ミルブランク」と題された、係属中の（特許文献１２）（代理人整理番号５５１５６ＵＳ００２、１９９９年１１月１９日提出）、（特許文献１３）（ルーシン（Ｒｕｓｉｎ）ら）、（特許文献１４）（ルーシン（Ｒｕｓｉｎ）ら、（特許文献１５））、（特許文献１６）（ルーシン（Ｒｕｓｉｎ）ら、（特許文献１７））、（特許文献１８）（ハウプトマン（Ｈａｕｐｔｍａｎｎ）ら）に開示されているような歯科用ミルブランクである。
【００８０】
更に、ストレッチリリース感圧接着剤塗膜は、取外しできる材料、例えば、典型的にはシリコーン若しくはフルオロカーボンポリマー材料から、又はシリコーン若しくはフルオロカーボンポリマーを塗工した材料から作られる剥離ライナーで任意選択的に被覆することができる。剥離ライナーは、例えば、出荷中および保管中、使用前に、接着剤を保護するのに役立つ。歯科模型を支持体の装着面に取付ける前に、剥離ライナーは接着剤から容易に取外される。
【００８１】
他の様々な構成および使用方法も可能である。例えば、前述の模型および方法を歯科矯正学などの他の歯科分野で使用することができる。更に、本発明は、任意の特定の種類の成型材料に、又は任意の特定の種類の成型材料によって限定されるものではない。更に、装着面は、ストレッチリリース感圧接着剤が歯科模型を支持体に固定することができる十分な大きさの表面積を提供する限り、支持体の装着面は、様々な形状（平面、非平面、溝又は隆起を画定する表面など）を有することができる。
【００８２】
本明細書で開示される特許、特許出願、および出版物は、個々に組み込まれるように、参照により（その内容全体を）本明細書に組み込まれる。前記説明は、例示的なものであり、限定的ではないことを理解されたい。本発明の範囲から逸脱することなく、本発明の様々な変更および変形が、前記の説明から当業者には明らかであり、本発明は、前述の例示的な実施形態に不当に限定されるものではないことを理解されたい。
【図面の簡単な説明】
【００８３】
【図１】本発明の一実施形態による歯科模型の側面図である。
【図２】本発明の別の実施形態による歯科模型の断面図である。
【図３】本発明の別の実施形態による歯科模型の斜視図である。
【図４】本発明の別の実施形態による歯科模型の斜視図である。
【図５】本発明の別の実施形態による歯科模型の斜視図である。
【図６】本発明の一実施形態による歯科キットの斜視図である。
【図１】
2005514104.tif 000003
【図２】
2005514104.tif 000004
【図３】
2005514104.tif 000005
【図４】
2005514104.tif 000006
【図５】
2005514104.tif 000007
【図６】
2005514104.tif 000008
【国際調査報告】
2005514104.tif 000009
2005514104.tif 000010
2005514104.tif 000011